(57)【要約】【課題】省エネルギー化を図りながら、メンテナンス作業を容易なものとすることができる自動販売機を提供すること。【解決手段】所望の金銭が投入され、かつ商品が選択された場合に、選択された商品を調理して提供する自動販売機において、常態においては通常運転モードに設定する一方、現在時刻が予め決められた省エネ時間帯に含まれる場合には、少なくとも商品の調理に利用される湯の温度を通常運転モード時よりも低下させる省エネ運転モードに設定する制御手段４０を備え、制御手段４０は、省エネ運転モードに設定する場合において、本体キャビネット１の前面開口を開閉する前面扉２が開成されたときには、省エネ運転モードを解除して通常運転モードに設定するものである。【選択図】図４
2011253458.tif 000002
【特許請求の範囲】
【請求項１】
所望の金銭が投入され、かつ商品が選択された場合に、選択された商品を調理して提供する自動販売機において、
常態においては通常運転モードに設定する一方、現在時刻が予め決められた省エネ時間帯に含まれる場合には、少なくとも前記商品の調理に利用される湯の温度を前記通常運転モード時よりも低下させる省エネ運転モードに設定する制御手段を備え、
前記制御手段は、前記省エネ運転モードに設定する場合において、自動販売機本体の前面開口を開閉する前面扉が開成されたときには、該省エネ運転モードを解除して通常運転モードに設定することを特徴とする自動販売機。
【請求項２】
前記制御手段は、一旦開成された前面扉が閉成された場合には、現在時刻が省エネ時間帯に含まれるときには、省エネ運転モードに再設定する一方、現在時刻が省エネ時間帯に含まれないときには、通常運転モードに設定することを特徴とする請求項１に記載の自動販売機。
【発明の詳細な説明】
【技術分野】
【０００１】
本発明は、自動販売機に関し、より詳細には、所望の金銭が投入され、かつ商品が選択された場合に、選択された商品を調理して提供する自動販売機に関するものである。
【背景技術】
【０００２】
従来、例えばコーヒー飲料等の商品をカップに投入された状態で販売する自動販売機として、特許文献１に提案されたものがある。すなわち、販売待機状態においていずれかの商品選択ボタンが押下された場合に、該当する商品を自動販売機本体の内部で調理し、調理した商品をカップに投入された状態で取出口を臨む位置に搬送し、取り出し可能にするものである。
【先行技術文献】
【特許文献】
【０００３】
【特許文献１】特開２００４−２４６６１６号公報
【発明の概要】
【発明が解決しようとする課題】
【０００４】
上述した特許文献１に記載されているような自動販売機、すなわちカップ式飲料自動販売機は、屋内に設置されるのが一般的であり、当該自動販売機を利用する者も屋内施設利用者が大半である。そのため、屋内施設利用者が激減する深夜等の時間帯においては、当該自動販売機を利用する者も少なくなる。
【０００５】
そこで、省エネルギー化の観点より、例えば深夜等の時間帯においては、商品の調理に利用される湯を生成する加熱装置の加熱能力を低下させて湯の温度を通常時よりも低下させることにより、消費電力を低減させる省エネ運転を行う自動販売機が知られている。
【０００６】
ところで、自動販売機の清掃や原料補充等のメンテナンス作業は、販売機会の減少を防止するために自動販売機が省エネ運転を行う時間帯に行われる。かかる省エネ運転時では湯の温度が通常時よりも低いため、当該湯では自動販売機本体内部を洗浄等するのに不十分である。
【０００７】
そこで、メンテナンス作業者は、一旦省エネ運転を中断させて通常運転に手動にて設定する必要があり、しかもメンテナンス作業終了後に、手動にて省エネ運転に再設定する必要があり、メンテナンス作業が煩雑なものとなっていた。
【０００８】
本発明は、上記実情に鑑みて、省エネルギー化を図りながら、メンテナンス作業を容易なものとすることができる自動販売機を提供することを目的とする。
【課題を解決するための手段】
【０００９】
上記目的を達成するために、本発明の請求項１に係る自動販売機は、所望の金銭が投入され、かつ商品が選択された場合に、選択された商品を調理して提供する自動販売機において、常態においては通常運転モードに設定する一方、現在時刻が予め決められた省エネ時間帯に含まれる場合には、少なくとも前記商品の調理に利用される湯の温度を前記通常運転モード時よりも低下させる省エネ運転モードに設定する制御手段を備え、前記制御手段は、前記省エネ運転モードに設定する場合において、自動販売機本体の前面開口を開閉する前面扉が開成されたときには、該省エネ運転モードを解除して通常運転モードに設定することを特徴とする。
【００１０】
また、本発明の請求項２に係る自動販売機は、上述した請求項１において、前記制御手段は、一旦開成された前面扉が閉成された場合には、現在時刻が省エネ時間帯に含まれるときには、省エネ運転モードに再設定する一方、現在時刻が省エネ時間帯に含まれないときには、通常運転モードに設定することを特徴とする。
【発明の効果】
【００１１】
本発明の自動販売機によれば、制御手段が、省エネ運転モードに設定する場合において、自動販売機本体の前面開口を開閉する前面扉が開成されたときには、該省エネ運転モードを解除して通常運転モードに設定するので、湯の温度を通常運転モード時にまで上昇させることができる。また前面扉が開成されたときには自動的に省エネ運転モードから通常運転モードに切り替わるので、メンテナンス作業においてメンテナンス作業者が従来のように手動にて切り替える必要がない。しかも湯の温度が十分に高温となっているので、本体キャビネットの内部を良好に洗浄することができる。従って、省エネルギー化を図りながら、メンテナンス作業を容易なものとすることができるという効果を奏する。
【図面の簡単な説明】
【００１２】
【図１】図１は、本発明の実施の形態である自動販売機を示す正面図である。
【図２】図２は、本発明の実施の形態である自動販売機の内部構造を示す説明図である。
【図３】図３は、本発明の実施の形態である自動販売機を示す原理図である。
【図４】図４は、図１〜図３に示した自動販売機の制御系を示すブロック図である。
【図５】図５は、図４に示した制御手段が実行するモード設定処理の処理内容を示すフローチャートである。
【図６】図６は、図４に示した制御手段が実行するモード制御処理の処理内容を示すフローチャートである。
【発明を実施するための形態】
【００１３】
以下に添付図面を参照して、本発明に係る自動販売機の好適な実施の形態について詳細に説明する。
【００１４】
図１〜図３は、それぞれ本発明の実施の形態である自動販売機を示すものであり、図１は正面図、図２は内部構造を示す説明図、図３は原理図である。ここで例示する自動販売機は、レギュラーコーヒー飲料の他、ココア等のインスタント飲料を販売するカップ式の飲料自動販売機であって、より具体的には、クリーム、砂糖、ココア等の粉末原料をカップの内部で調理するカップ内ミキシング方式の飲料自動販売機であり、前面が開口した箱状の本体キャビネット（自動販売機本体）１と、本体キャビネット１の前面開口を閉塞する前面扉２とを備えている。
【００１５】
図２及び図３に示すように、本体キャビネット１の内部には、リザーバ１１、温水タンク１２、製氷器１３、冷却水供給装置１４、抽出装置１５、粉末原料供給装置１６及びカップ搬送装置１７を備えて構成してある。
【００１６】
リザーバ１１は、供給された水道水、あるいは図示せぬ給水タンクから供給された水を一時的に貯留するものである。このリザーバ１１で一時的に貯留された水は、温水タンク１２と製氷器１３と冷却水供給装置１４とに供給されるようにしている。
【００１７】
温水タンク１２は、抽出装置１５の他、調理位置に搬送されたカップＣに供給する湯を貯留するもので、本体キャビネット１の内部上方右奥側、背壁に沿って設けてある。この温水タンク１２には、ヒータＨ（図４参照）が内蔵してあり、リザーバ１１から与えられた水を加熱して湯として貯留する。
【００１８】
このような温水タンク１２には、複数（図３の例では２つ）の湯弁１２１，１２３が配設してある。一の湯弁１２１は、湯送出配管１２２を介して抽出装置１５に接続してあり、該湯弁１２１を開成させることにより湯送出配管１２２を通じて抽出装置１５に湯が供給されるようになっている。他の湯弁１２３は、湯供給配管１２４を介して調理位置に設けられた湯ノズル１２５に接続してあり、該湯弁１２３を開成させることにより湯供給配管１２４を通じて湯ノズル１２５に湯が供給されるようになっている。これにより、調理位置に搬送されたカップＣに対して湯ノズル１２５より湯が注出されることになる。
【００１９】
製氷器１３は、リザーバ１１から供給された水から調理用の氷を製造するもので、図２に示すように、本体キャビネット１の内部上方左奥側に取り付けてある。製氷器１３は、図には明示しないが、円筒状の金属の内面に着氷した氷をオーガで連続的に掻き取り、上部に押し上げながら圧縮成形と切断とを行う製氷部と、製氷部でチップ状に形成された氷を貯蔵する氷ストッカー部とを備えている。氷ストッカー部にはアイスドアが設けてあり、このアイスドアは、氷供給配管１３１を介して調理位置に設けられた氷ノズル（図示せず）に接続してある。アイスドアを開放させることにより、氷供給配管１３１を通じて氷ノズルに氷が供給されるようになっている。これにより、調理位置に搬送されたカップＣに対して氷ノズルより氷が投入されることになる。
【００２０】
冷却水供給装置１４は、冷却水生成配管１４１と冷却水供給配管１４２とを備えて構成してある。冷却水生成配管１４１は、給水弁１４３を介して給水配管１１１に接続してあり、これによりリザーバ１１に連設してある。この冷却水生成配管１４１は、屈曲部１４１ａが形成してあり、該屈曲部１４１ａは冷却水槽１４４内に浸漬してある。冷却水供給配管１４２は、基端部が冷却水生成配管１４１に接続されるとともに、先端部が調理位置に設けられた冷却水ノズル１４５に接続してあり、自身に設けられた冷却水供給弁１４６を開成させることにより調理位置に搬送されたカップＣに対して冷却水ノズル１４５より冷却水が注出されることになる。
【００２１】
抽出装置１５は、レギュラーコーヒー飲料を抽出するものであって、図２に示すように、本体キャビネット１の内部上方右側に取り付けてある。抽出装置１５は、上方から下方に向けて順に、豆キャニスタ１５１、コーヒーミル１５２、コーヒーブリュア１５３を備えている。
【００２２】
豆キャニスタ１５１は、例えば透光性のある樹脂材料から構成されており、内部にコーヒー豆を収容している。尚、本実施の形態における抽出装置１５では２つの豆キャニスタ１５１を備えている。このような豆キャニスタ１５１は、内部に原料モータ（図示せず）が設けてあり、かかる原料モータが駆動することにより該豆キャニスタ１５１に収容されたコーヒー豆がコーヒーミル１５２に供給されるようになっている。一方、原料モータが駆動停止することにより該豆キャニスタ１５１に収容されたコーヒー豆の供給が停止される。
【００２３】
コーヒーミル１５２は、豆キャニスタ１５１から供給されたコーヒー豆を挽くものである。このコーヒーミル１５２は、詳細は図示しないが、内部にシュート（水平方向に延びる円筒状の空間）が形成されたミル本体と、シュートに挿通され、外周に螺旋状の刃が形成されたオーガと、オーガを回転させるモータとを有している。そして、モータがオーガを回転させることによりコーヒーミル１５２に供給された豆は入口から出口に向けて送られ、その途中で粉砕されるようになっている。
【００２４】
このようなコーヒーミル１５２においては、ミル本体が豆キャニスタ１５１と同様に、透光性のある樹脂材料から構成されている。
【００２５】
コーヒーブリュア１５３は、コーヒーミル１５２から供給された挽き豆に温水タンク１２から供給された湯を注ぐことにより、レギュラーコーヒー飲料を抽出するものである。コーヒーブリュア１５３は、コーヒー供給配管１５４を介して調理位置に設けられたコーヒー飲料ノズル１５５に接続してあり、かかるコーヒー供給配管１５４を通じて該コーヒー飲料ノズル１５５にレギュラーコーヒー飲料が供給されるようになっている。これにより、調理位置に搬送されたカップＣに対してコーヒー飲料ノズル１５５よりレギュラーコーヒー飲料が注出されることになる。
【００２６】
粉末原料供給装置１６は、クリーム、砂糖等の粉末原料を原料毎に収容し、必要に応じて払い出すもので、図２に示すように、本体キャビネット１の内部上方中央に設けてある。粉末原料供給装置１６は、複数の原料キャニスタ１６１と、原料キャニスタ１６１毎に設けられた原料シュータ１６２とを備えている。
【００２７】
原料キャニスタ１６１は、粉末原料を収容して払い出す容器であり、上面が前下がりとなるように傾斜しており、この上面に原料投入口（図示せず）が形成してある。また、原料投入口は、開閉可能な蓋によって閉成してあり、粉末原料に異物が混入しないようになっている。また、原料キャニスタ１６１の底部には、螺旋状に形成されたスクリュ（図示せず）が回転可能に設けられ、原料キャニスタ１６１の奥に取り付けた原料モータが駆動すると、スクリュが回転し、原料キャニスタ１６１の底部前面に形成された原料払出口（図示せず）から粉末原料が払い出されるようになっている。
【００２８】
原料シュータ１６２は、対応する原料キャニスタ１６１から払い出された粉末原料を受け取り、一時的に収容するもので、原料キャニスタ１６１の前方から下方に延びる筒状をなしている。
【００２９】
カップ搬送装置１７は、図示せぬカップ供給位置において供給されたカップＣを受取位置を経由して調理位置に搬送した後、後述する取出口２１を臨む販売位置に搬送するものであって、本体キャビネット１の内部中央、粉末原料供給装置１６の下方側に設けてある。カップ搬送装置１７は、カップ供給位置において供給されたカップＣを把持するカップ把持部１７１と、カップ把持部１７１が把持したカップＣを左右方向及び前後方向に搬送するカップ搬送機構１７２とを備えている。
【００３０】
カップ搬送機構１７２は、販売待機状態においてカップ把持部１７１を販売位置に待機させるものである。その後に商品が選択されると、カップ供給位置にカップ把持部１７１を搬送し、カップ供給装置から供給されたカップＣをカップ把持部１７１に把持させるものである。カップ供給位置にてカップ把持部１７１にカップＣを把持させた後、カップ搬送機構１７２は、カップ把持部１７１を受取位置に搬送する。ここで受取位置は、原料キャニスタ１６１から原料シュータ１６２に払い出された粉末原料を受け取る位置であって、粉末原料が払い出された原料シュータ１６２の下方が受取位置になる。例えばクリーム・砂糖入りレギュラーコーヒー飲料を販売する場合には、原料キャニスタ１６１から払い出されたクリームが一時的に収容される原料シュータ１６２の下方、並びに原料キャニスタ１６１から払い出された砂糖が一時的に収容される原料シュータ１６２の下方が受取位置になる。
【００３１】
そして、カップＣを把持するカップ把持部１７１を受取位置に順次搬送させることにより、カップＣ内に所望の粉末原料が投入される。その後、カップ搬送機構１７２は、当該カップＣを把持するカップ把持部１７１を調理位置に搬送する。調理位置は、湯、レギュラーコーヒー飲料が注出される他、冷却水や氷が供給される位置であって、カップＣ内の飲料を撹拌するパドル１８が昇降可能に設けてある。この調理位置にて湯、冷却水、あるいはレギュラーコーヒー飲料の注出が完了すると、カップ搬送機構１７２は、カップＣを把持するカップ把持部１７１を販売位置に搬送し、これにより、所望の商品がカップＣに投入された状態で利用者に提供することが可能になる。
【００３２】
前面扉２は、本体キャビネット１の前面開口を開閉可能となる態様で該本体キャビネット１の一側縁部に揺動可能に配設してあり、閉扉動作した場合に、本体キャビネット１の前面開口を閉塞するものである。この前面扉２は、図１に示すように、中程中央に取出口２１が設けてあり、その右方側に投入金額を表示する一体表示器２２、硬貨を投入するための硬貨投入口２３、返却レバー２４が設けてある。また、取出口２１の左方側には紙幣挿入口２５が設けてあり、前面扉２の下部右側には硬貨返却口２６が設けてある。
【００３３】
上記前面扉２の上半分には、商品選択ボタン２７及び調合ボタン２８が設けてある。商品選択ボタン２７は、前面扉２の上半分に複数配設してある。これら商品選択ボタン２７は、商品毎に設けてある。当該商品のイメージが描かれたフレーバーカード２９に対応して設けてある。
【００３４】
上記商品選択ボタン２７は、調合ボタン２８が押下されることなく自身が押下された場合には、予め決められた調合成分、すなわちコーヒー豆、クリーム及び砂糖が標準量で混合された商品の選択を示す入力手段である。調合ボタン２８は、前面扉２の取出口２１の上側に設けてある。
【００３５】
図４は、図１〜図３に示した自動販売機の制御系を示すブロック図である。この図４に示すように、上記自動販売機は、既述の構成の他、金銭処理装置３１、売切センサ３２、照明装置３３、開閉センサ３４、リモコン３５及び制御手段４０を備えて構成してある。
【００３６】
金銭処理装置３１は、コインメカニズムやビルバリデータと称されるものであり、利用者によって金銭（貨幣）が投入された場合にこれを鑑別し、その鑑別結果を制御手段４０に出力するものである。売切センサ３２は、本体キャビネット１の所望の位置、例えば原料シュータ１６２の近傍等の位置に配設され、原料の有無を検知し、その検知結果を制御手段４０に出力するものである。照明装置３３は、本体キャビネット１の各部に設けられた蛍光灯やＬＥＤ等の光源（図示せず）を点灯させるものである。開閉センサ３４は、本体キャビネット１の前面開口近傍に配設され、前面扉２の開閉を検知し、その検知結果を制御手段４０に出力するものである。リモコン３５は、制御手段４０に種々の指令や情報を与える入力手段である。尚、図４中の符号３６は、販売動作ユニットであり、既述の各弁やカップ搬送機構１７２等の販売動作の際に駆動する機構の総称である。また、図４中の符号３７は、ボタン類であり、商品選択ボタン２７や調合ボタン２８の総称である。
【００３７】
制御手段４０は、売切センサ３２、金銭処理装置３１、ボタン類３７（商品選択ボタン２７及び調合ボタン２８）、リモコン３５から出力信号が与えられた場合、予めメモリ４１に格納したプログラムやデータにしたがって販売動作ユニット３６、一体表示器２２、リモコン３５等の動作を制御するもので、入力制御部４０ａ、出力制御部４０ｂ、動作制御部４０ｃ及び管理制御部４０ｄを有している。
【００３８】
入力制御部４０ａは、リモコン３５の操作部が操作された場合にそれぞれの入力操作に対応する指令を各部に与えるものである。出力制御部４０ｂは、表示指令が与えられた場合に一体表示器２２若しくはリモコン３５の表示部を通じて所望の表示を行うものである。
【００３９】
動作制御部４０ｃは、商品の販売に関わる処理を統括的に制御するものである。具体的には、金銭処理装置３１に金銭が投入された場合、投入金額が販売価格以上となった時点で該当する商品選択ボタン２７を有効化する。有効化した商品選択ボタン２７が押圧操作された場合、動作制御部４０ｃは、販売動作ユニット３６の各部を所望のタイミングで動作させて、商品を調理し、カップＣに投入した状態で提供する動作を行う。
【００４０】
更に、動作制御部４０ｃは、売切センサ３２を通じて原料の有無を監視し、原料が無いことを検知した場合、該当する商品に対応する売切ランプ（図示せず）を点灯して売切状態であることを報知する処理を行う。
【００４１】
管理制御部４０ｄは、内蔵する時計機能を利用して自動販売機のモード設定を行うものである。具体的には、自動販売機を通常運転モード、あるいは省エネ運転モードのいずれかに設定するものである。ここで、通常運転モードは、自動販売機が商品を調理して販売するのに最適な状態に設定されたものである。かかる通常運転モードでは、温水タンク１２の湯の温度が例えば９８℃となるようヒータＨを駆動させている。また、通常運転モードでは原則として照明装置３３を駆動させて各光源を点灯させている。省エネ運転モードは、自動販売機が通常運転モードに比して消費電力量を低減させる状態に設定されたものである。かかる省エネ運転モードでは、温水タンク１２の湯の温度が例えば９０℃となるようヒータＨを駆動、すなわち、通常運転モード時よりも湯の温度を低下させるようヒータＨを駆動させている。また、省エネ運転モードでは、照明装置３３を駆動停止させて蛍光灯等を消灯させている。
【００４２】
図５は、図４に示した制御手段４０が実行するモード設定処理の処理内容を示すフローチャートである。かかるモード設定処理の処理内容を説明することにより、本実施の形態である自動販売機の動作を説明する。
【００４３】
制御手段４０の管理制御部４０ｄは、内蔵する時計機能を利用して現在時刻が予めメモリ４１に格納された開始時刻から終了時刻までの省エネ時間帯（午前２時〜午前４時）になければ（ステップＳ１０１：Ｎｏ、あるいはステップＳ１０１：Ｙｅｓ，ステップＳ１０２：Ｙｅｓ）、通常運転モードに設定し（ステップＳ１０３）、その後に手順をリターンさせて今回の処理を終了する。かかる通常運転モードにおいては、次のようにして商品が販売される。
【００４４】
硬貨投入口２３、あるいは紙幣挿入口２５から販売される商品の対価以上の硬貨又は紙幣が投入されると、該当する商品の商品選択ボタン２７、並びに調合ボタン２８を有効化させる。
【００４５】
このような状態で調合ボタン２８が押下されることなく、レギュラーコーヒー飲料の加温商品用の商品選択ボタン２７が押下されたとする。上述したように、商品選択ボタン２７は、調合ボタン２８が押下されることなく自身が押下された場合には、コーヒー豆、クリーム及び砂糖が標準量で混合された商品の選択を示す入力手段であるから、カップ供給装置から供給されたカップＣには、所定の受取位置（クリームが一時的に収容される原料シュータ１６２の下方、並びに砂糖が一時的に収容される原料シュータ１６２の下方）にてクリーム及び砂糖が投入される。また、これと同時に抽出装置１５においてレギュラーコーヒー飲料の抽出が行われる。
【００４６】
そして、受取位置にて粉末原料が投入されたカップＣは、調理位置に搬送されて、抽出装置１５から抽出されたレギュラーコーヒー飲料が注出されるとともに、パドル１８により撹拌される。レギュラーコーヒー飲料の注出が完了すると、カップＣは、販売位置に搬送され、取出口２１を通じて利用者に提供され、これにより商品（レギュラーコーヒー飲料）が販売されることになる。
【００４７】
一方、制御手段４０の管理制御部４０ｄは、現在時刻が予めメモリ４１に格納された開始時刻から終了時刻までの省エネ時間帯（午前２時〜午前４時）に含まれる場合には（ステップＳ１０１：Ｙｅｓ，ステップＳ１０２：Ｎｏ）、省エネ運転モードに設定し（ステップＳ１０４）、その後に手順をリターンさせて今回の処理を終了する。かかる省エネ運転モードでは、温水タンク１２の湯の温度が例えば９０℃となるようヒータＨを駆動させ、また照明装置３３を駆動停止させて蛍光灯等を消灯させている。
【００４８】
図６は、図４に示した制御手段４０が実行するモード制御処理の処理内容を示すフローチャートである。かかるモード制御処理の処理内容を説明することにより、本実施の形態である自動販売機の動作を説明する。
【００４９】
省エネ運転モードにおいて開閉センサ３４を通じて前面扉２の開成を検知した場合（ステップＳ２０１：Ｙｅｓ，ステップＳ２０２：Ｙｅｓ）、制御手段４０の管理制御部４０ｄは、省エネ運転モードを解除して通常運転モードを設定し（ステップＳ２０３，ステップＳ２０４）、その後に手順をリターンさせて今回の処理を終了する。
【００５０】
これによれば、通常運転モードに設定するので、ヒータＨの駆動により温水タンク１２の湯の温度が例えば９８℃に上昇することになる。
【００５１】
一方、通常運転モードにおいて開閉センサ３４を通じて前面扉２の閉成を検知した場合（ステップＳ２０１：Ｎｏ，ステップＳ２０５：Ｙｅｓ）、制御手段４０の管理制御部４０ｄは、現在時刻が省エネ時間帯にあるか否かを判断し（ステップＳ２０６）、現在時刻が省エネ時間帯に含まれる場合には（ステップＳ２０６：Ｙｅｓ）、省エネ運転モードに設定し（ステップＳ２０７）、その後に手順をリターンさせて今回の処理を終了する。
【００５２】
これによれば、省エネ運転モードに設定するので、温水タンク１２の湯の温度が例えば９０℃に低下するとともに、蛍光灯等が消灯される。
【００５３】
ところで、ステップＳ２０６において現在時刻が省エネ時間帯に含まれない場合には（ステップＳ２０６：Ｎｏ）、制御手段４０の管理制御部４０ｄは、通常運転モードに（継続）設定し（ステップＳ２０８）、その後に手順をリターンさせて今回の処理を終了する。
【００５４】
以上説明したように本実施の形態である自動販売機においては、制御手段４０が、省エネ運転モードに設定する場合において、本体キャビネット１の前面開口を開閉する前面扉２が開成されたときには、該省エネ運転モードを解除して通常運転モードに設定するので、ヒータＨによる加熱能力が向上して温水タンク１２の湯の温度を例えば９０℃から９８℃に上昇させることができる。また前面扉２が開成されたときには自動的に省エネ運転モードから通常運転モードに切り替わるので、メンテナンス作業においてメンテナンス作業者が従来のように手動にて切り替える必要がない。しかも温水タンク１２の湯の温度が十分に高温（例えば９８℃）となっているので、本体キャビネット１の内部を良好に洗浄することができる。以上により、省エネルギー化を図りながら、メンテナンス作業を容易なものとすることができる。
【００５５】
また、上記自動販売機によれば、制御手段４０が、一旦開成された前面扉２が閉成された場合には、現在時刻が省エネ時間帯に含まれるときには、省エネ運転モードに再設定する一方、現在時刻が省エネ時間帯に含まれないときには、通常運転モードに設定するので、前面扉２を閉成させるだけでモードの切替設定、あるいは継続設定を行うことができ、これによってもメンテナンス作業を容易なものとすることができる。
【００５６】
更に、上記自動販売機では、前面扉２の開閉の検知により運転モードの切替設定、あるいは継続設定を自動的に行うので、設定間違い等が生ずることを防止することができる。
【００５７】
以上、本発明の好適な実施の形態について説明したが、本発明はこれに限定されるものではなく、種々の変更を行うことができる。例えば、上述した実施の形態では、前面扉２の開閉検知により運転モードの切替設定、あるいは継続設定を行っていたが、本発明においては、かかる切替設定、あるいは継続設定を行わないようにリモコン等を通じて予め行えるようにしても良い。
【産業上の利用可能性】
【００５８】
以上のように、本発明に係る自動販売機は、所望の金銭が投入され、かつ商品が選択された場合に、選択された商品を調理して提供するのに有用である。
【符号の説明】
【００５９】
１  本体キャビネット
２  前面扉
１１  リザーバ
１２  温水タンク
１３  製氷器
１４  冷却水供給装置
１５  抽出装置
１６  粉末原料供給装置
１７  カップ搬送装置
１８  パドル
３１  金銭処理装置
３２  売切センサ
３３  照明装置
３４  開閉センサ
３５  リモコン
３６  販売動作ユニット
３７  ボタン類
４０  制御手段
４０ａ  入力制御部
４０ｂ  出力制御部
４０ｃ  動作制御部
４０ｄ  管理制御部
４１  メモリ
Ｃ  カップ
Ｈ  ヒータ
【図１】
2011253458.tif 000003
【図２】
2011253458.tif 000004
【図３】
2011253458.tif 000005
【図４】
2011253458.tif 000006
【図５】
2011253458.tif 000007
【図６】
2011253458.tif 000008